(57)【要約】本発明は、アルキルアリールヒドロ過酸化物の開裂において生成される開裂産物混合物の蒸留によるワークアップのための方法および装置を、請求項に記載する。通常、アルキルアリールヒドロ過酸化物の開裂において生成される、開裂産物混合物の蒸留によるワークアップにおいて、開裂産物混合物は、少なくとも３つの画分に分けられ、そのために、少なくとも２つの蒸留カラムが使用される。２つの蒸留カラムの使用は、これらの通常の方法において、資本コスト、更にエネルギーコストが比較的高いという欠点を有する。開裂産物混合物の蒸留によるワークアップのための本発明の方法によって、開裂産物混合物が、たった１つの装置において、３つの主画分に分けられ得るため、通例のプラントと比べて、装置の要求およびエネルギー消費が顕著に低減され得る。本発明の方法は、アルキルアリールヒドロ過酸化物の開裂において、特に、ヒドロ過酸化クメンの開裂において生成される開裂産物混合物の蒸留によるワークアップのために使用され得る。本発明の方法を使用することによって、ヒドロ過酸化クメンの開裂において得られた開裂産物混合物から、フェノールおよびアセトンを分離することが可能になる。【選択図】図１
2004515483.tif 000002
【特許請求の範囲】
【請求項１】
アルキルアリールヒドロ過酸化物の開裂において生成される開裂産物混合物の蒸留によるワークアップのための方法であって、単一の蒸留段階において、開裂産物混合物を、少なくとも３つの画分に分けることを含む方法。
【請求項２】
画分の１つが、蒸留段階前の開裂産物中に存在するケトンの少なくとも７５％を含む、請求項１に記載の方法。
【請求項３】
ケトンがアセトンである、請求項２に記載の方法。
【請求項４】
画分の１つが、蒸留段階前の開裂産物中に存在する置換および／または未置換フェノールの少なくとも７５％を含む、請求項１〜３の少なくとも１項に記載の方法。
【請求項５】
画分の１つが、蒸留段階前の開裂産物中に存在するクメンの少なくとも７５％および／または蒸留段階前の開裂産物中に存在するα−メチルスチレンの７５％を含む、請求項１〜４の少なくとも１項に記載の方法。
【請求項６】
水、クメンおよび／またはＡＭＳを含むこの画分が、蒸留段階前の開裂産物中に存在するヒドロキシアセトンの少なくとも２０％を含む、請求項５に記載の方法。
【請求項７】
蒸留段階前の開裂産物中に存在するクメンの少なくとも７５％および／または蒸留段階前の開裂産物中に存在するα−メチルスチレンの７５％を含む画分が、相分離装置において、水相と有機相とに分離される、請求項５または６の少なくとも１項に記載の方法。
【請求項８】
有機相の少なくとも一部が、蒸留段階へ再度供給される、請求項７に記載の方法。
【請求項９】
有機相の少なくとも一部が、蒸留カラム（クメンカラム）へ供給され、そこで、クメンまたはα−メチルスチレンより低い沸点を有する化合物が頂上部で排出され、クメンまたはα−メチルスチレンより高い沸点を有する化合物が、底部を通して排出され、かつ、化合物クメンおよび／またはα−メチルスチレンが、側面流排出口を通して排出されるように、有機相が分離される、請求項７または８に記載の方法。
【請求項１０】
そこからクメンおよび／またはα−メチルスチレンがクメンカラムから除去される側面流排出口より上であって、かつ、カラムの頂上部より下に配置される少なくとも１つの更なる側面流排出口を通して、少なくともメシチルオキシド、ケトン、および／または水を含む、少なくとも１つの更なる画分が排出され得るように、クメンカラムにおいて有機相を分離する、請求項９に記載の方法。
【請求項１１】
水相の少なくとも一部が、液体および／または蒸気の状態で、蒸留段階へ再度供給される、請求項７に記載の方法。
【請求項１２】
水相が、クメンおよび／またはα−メチルスチレンを含む画分中に存在するヒドロキシアセトンの７５％を含む、請求項７または１１に記載の方法。
【請求項１３】
開裂産物混合物が、蒸留によるワークアップ前に、２０〜７０重量％のフェノール濃度を有する、請求項１〜１２の少なくとも１項に記載の方法。
【請求項１４】
開裂産物混合物が、蒸留によるワークアップ前に、２００ｐｐｍ〜５重量％のヒドロキシアセトン濃度を有する、請求項１〜１３の少なくとも１項に記載の方法。
【請求項１５】
ヒドロ過酸化クメン開裂からの開裂産物混合物の蒸留による分離のための蒸留カラムであって、少なくとも７５重量％のアセトンを含む未精製アセトン画分を、カラムの頂上部で排出することができ、少なくとも６０重量％のフェノールを含む未精製フェノール画分を、カラムの底部で排出することができ、かつ、少なくとも水、クメンおよび／またはα−メチルスチレンを含む少なくとも１つの画分を、カラムの側面から排出することができるような寸法を有するカラム。
【請求項１６】
フェノールおよび開裂産物混合物中に存在するヒドロキシアセトンの少なくとも７５％を含む画分を、カラムの底部で排出することができるような寸法を有する請求項１５に記載の蒸留カラム。
【請求項１７】
クメンおよび／またはα−メチルスチレンおよび開裂産物混合物中に存在するヒドロキシアセトンの少なくとも７５％を含む画分を、カラムの少なくとも１つの側面流排出口で排出することができるような寸法を有する、請求項１５に記載の蒸留カラム。
【請求項１８】
側面流排出口（そこにおいて、少なくともヒドロキシアセトンおよびクメンおよび／またはα−メチルスチレンを含む画分が、１５〜９５％の分離能を有するカラムの領域で排出され得る）が備えられる、請求項１７に記載の蒸留カラム。
【請求項１９】
２０〜２００の理論段を有する、請求項１５〜１８の１項に記載の蒸留カラム。
【請求項２０】
そこにおいて少なくとも１つの有機酸を含む画分が排出され得る、少なくとも１つの側面流排出口を有する、請求項１５〜１９の１項に記載の蒸留カラム。
【請求項２１】
フェノールおよびアセトンを調製するための方法であって、
−クメンのヒドロ過酸化クメンへの酸化段階
−ヒドロ過酸化クメンの開裂段階
−ヒドロ過酸化クメンの開裂において生成される開裂産物混合物の蒸留によるワークアップ段階
を含む方法であって、単一の蒸留段階において、開裂産物混合物を、少なくとも３つの画分に分けることを含む方法。
【請求項２２】
請求項１〜１４の少なくとも１項に記載の方法によって得られ得るフェノール。
【請求項２３】
請求項１〜１４の少なくとも１項に記載の方法によって得られ得るアセトン。
【発明の詳細な説明】
【０００１】
本発明は、アルキルアリールヒドロ過酸化物の開裂において生成される開裂産物混合物の蒸留によるワークアップ（ｗｏｒｋ−ｕｐ）のための改良された方法に関する。特に、本発明は、ヒドロ過酸化クメンの開裂において生成される開裂産物の蒸留によるワークアップのための方法に関する。
【０００２】
ヒドロ過酸化クメンをフェノールとアセトンとに酸性触媒によって開裂する方法は、長い間、特に工業的に重要であった。ホック（Ｈｏｃｋ）法によるクメンからのフェノールのこの調製において、第一反応段階の酸化において、クメンを、ヒドロ過酸化クメン（ＣＨＰ）に酸化し、次いで、ＣＨＰを、濃縮段階である真空蒸留において、６５〜９０重量％に濃縮する。第二反応段階である開裂において、酸、通常は硫酸、の作用によって、ＣＨＰをフェノールとアセトンとに開裂する。フェノールおよびアセトンの他に、開裂産物は、開裂の前の反応段階において形成され得て、かつ、開裂中には転換されないか、または一部のみが転換される、他の化合物を有する。フェノールおよびアセトンの他に、開裂産物中に存在し得る、最も重要な化合物は、特に、α−メチルスチレン（ＡＭＳ）、クメンおよびアセトフェノンである。また、酸化において既に形成された、少量のジメチルフェニルカルビノール（ＤＭＰＣ）が、開裂産物中に存在し得る。更なる不純物は、例えば、メチルベンゾフラン（ＭＢＦ）、ヒドロキシアセトン、メシチルオキシド（ＭＯ）のような化合物、ならびに（アセト）アルデヒドおよび２−フェニルプロピオンアルデヒドのようなカルボニル化合物を含む。開裂産物の中和および水相の除去後、開裂産物を、蒸留によって完成させる（ｗｏｒｋｅｄ ｕｐ）。
【０００３】
蒸留による開裂産物のワークアップのための様々な方法が知られている（ウルマン工業化学事典（Ｕｌｌｍａｎｎ’ｓ Ｅｎｃｙｃｌｏｐｅｄｉａ ｏｆ Ｉｎｄｕｓｔｒｉａｌ Ｃｈｅｍｉｓｔｒｙ）、第５全面改訂版、Ｖｏｌ．Ａ１９， １９９１， ＶＣＨ ベルラグスゲセルシャフト社（Ｖｅｒｌａｇｓｇｅｓｅｌｌｓｃｈａｆｔ ｍｂＨ）、ワインハイム（Ｗｅｉｎｈｅｉｍ））。原則として、これらの方法のすべては、水酸化ナトリウム水溶液、アミン、フェノレート苛性アルカリ水溶液、および／またはイオン交換樹脂を使用して、開裂産物を最初に中和する。相分離後、中和された開裂産物の有機部を、第一カラムへ移し、そこで、残りの開裂産物から、水を含み得る未精製アセトン、ヒドロキシアセトン、クメン、および／またはＡＭＳを、蒸留して頂上部へ排出する（ｄｉｓｔｉｌｌｅｄ ｏｆｆ ｏｖｅｒｈｅａｄ）。この未精製アセトンを、通常、洗浄器中でアルカリによって処理し、蒸留によって再度精製する。しかし、一部では、カラム中でも洗浄を行う。第一カラムにおいて生成された底部生成物を、第二カラム中で蒸留し、残りのＡＭＳおよびクメンを、このカラムから頂上部へ排出し、そして通常、水素添加へ付し、そこで、クメンを再度調製する。ＡＭＳおよびクメンを、水による共沸蒸留において分離することもできる。第二カラム中に残った底部生成物を、未精製フェノールカラム中で蒸留する。
【０００４】
結果として生じた未精製フェノールを、水による抽出蒸留によって、および／または、酸性イオン交換体による処理およびその後の蒸留によって、更に精製することができる。後者の方法では、蒸留によってフェノールから分離することが困難な化合物、例えば、メシチルオキシドおよびヒドロキシアセトン、を濃縮して、高沸点（ｈｉｇｈｅｒ−ｂｏｉｌｉｎｇ）化合物を形成する。
【０００５】
ＤＥ−ＡＳ １ １０５ ８７８（フェノール化学）でも、未精製アセトンカラム中で未精製アセトンから分離される、中和された開裂産物を、炭化水素カラム内へ移し、そこで、水の存在下で、ＡＭＳおよびクメンのような、フェノールより低沸点の（ｂｏｉｌｉｎｇ ｌｏｗｅｒ ｔｈａｎ ｐｈｅｎｏｌ）炭化水素を蒸留して頂上部へ排出する。カラムの底部から、有機相を排出し、下流のカラムの頂上部へ適用し、そこで、カラムの底部で生成されるフェノールおよび高沸点物質（ｈｉｇｈ−ｂｏｉｌｅｒｓ）から、水を分離する。次いで、フェノールと高沸点物質との混合物を、未精製フェノールカラムへ移す。次いで、未精製フェノールカラムにおいて、および、純粋なフェノール蒸留において生成された残留物を、クラッキングに付すことができ、更にそこで、残留物を完成させ、そして、フェノールの一部を回収する。これらの回収された価値ある生成物を、炭化水素カラムへ再度移すことができる。
【０００６】
ＥＰ ０ ０３２ ２５５ （ＵＯＰ）には、ほぼ中和された（約ｐＨ６）開裂産物の有機部を、水によって再度洗浄し、次いで、その有機部を、未精製アセトンカラムへ移し、そこで、未精製アセトンを、残りの開裂産物から分離する、開裂産物のワークアップのための方法が記載されている。底部相中に残った残留物を、クメンカラムへ直接移し、そこで、未精製フェノールを、底部生成物として生成し、それを、順番に精製蒸留に付す。ＡＭＳ、クメンおよび水を主に含む、クメンカラムから頂上部で排出された混合物を、相分離容器へ移し、そこで、水相を分離する。結果として生じた有機相を、洗浄カラムへ移し、そこで、ＡＭＳとクメンとの混合物から、依然として存在しているすべてのフェノールを、ソジウムフェノキシドとして除去するために、有機混合物を、水酸化ナトリウム溶液によって処理する。フェノールを含まないＡＭＳとクメンとの混合物を、カラムの頂上部を通して水素添加に付す。
ＵＳ ４，２６２，１５０ （ＵＯＰ）でも、ＥＰ ０ ０３２ ２５５ （ＵＯＰ）に記載されているものと同じカラム回路（ｃｉｒｃｕｉｔ）が使用されている。ＥＰ ０ ０３２ ２５５との違いは、開裂産物を中和するために、ミキサーおよび相分離装置の１つまたはそれ以上の組み合わせの代わりに、抽出カラムが使用されることである。
【０００７】
ＵＳ ３，３２２ ６５１ （ＵＯＰ）には、ＣＨＰの開裂において得られるフェノールの精製のための、窒素化合物、特に、アミン、の使用が記載されている。
【０００８】
ＵＳ ５，５１０，５４３ （ＧＥ）には、塩基、特に、水酸化ナトリウム溶液、を添加することにより、中和器（ｎｅｕｔｒａｌｉｚｅｒ）中で、開裂産物をｐＨ４．０〜４．９に調整する、ＣＨＰ開裂からの開裂産物のワークアップのための方法が記載されている。中和器において、開裂産物を、水相と有機相とに分離する。有機相を、スプリッター（ｓｐｌｉｔｔｅｒ）と呼ばれるカラムへ移し、そこで、蒸留によって、開裂産物を、アセトンを多く含む画分と、フェノールを多く含む画分とに分離する。フェノールを多く含む画分を、カラムの底部で排出し、例えば、１つまたはそれ以上の更なる蒸留からなり得る、フェノール精製に付す。アセトンを多く含む画分を、カラムの頂上部で排出し、アセトンカラムへ供給し、その場合、カラム内への導入前に、その画分が約９のｐＨを持つ量で、この画分へ塩基を添加することにより、この画分中にも存在する有機酸を中和する。水の他に、炭化水素および有機酸の塩も含む、カラムの底部相中に生じる混合物を、相分離装置へ移し、そこで、この混合物を、有機相と水相とに分離する。クメンを回収するために、有機相を再度処理することができる。
【０００９】
更に、開裂産物の蒸留によるワークアップにおいて生じる個々の画分を特に処理する方法が開発された。よって、ＵＳ ５，４８７，８１６ （ＵＯＰ）には、フェノール、ＡＭＳおよび水を含み、かつ、未精製アセトンカラムの底部生成物として生じる混合物から、ＡＭＳを分離するための方法が記載されている。この場合、未精製アセトンカラムの頂上部において、開裂産物から、アセトンと共にクメンが排出されるように、未精製アセトンカラムを操作する。カラムの底部において、主にフェノールが生成され、それを更なるワークアップに付すことができ、そして、カラムの頂上部において、ＡＭＳ、水、およびより少量のフェノールの混合物が排出され、その混合物が、濃縮されて、塩基性試薬の添加により、６以上のｐＨに調整されるように、ＡＭＳおよびフェノールを含む混合物を、カラム中で分離する。これにより、主に水相中に存在するフェノールが得られ、一方、ＡＭＳは、有機相中に存在し、その中には、少量のフェノールのみが、不純物として存在する。それらの相は、相分離装置によって、お互いに分離される。有機相を、水素添加に付すことができ、一方、水相を、還流として、カラムへ再度供給することができる。
【００１０】
ＵＳ ５，４８７，８１６ （ＵＯＰ）に記載されている方法とは対照的に、ＵＳ ４，３７０，２０５ （ＵＯＰ）では、未精製アセトンカラムの底部から排出された流れ（ｓｔｒｅａｍ）も、依然としてクメンを含む。この背景に対して、異なるカラム回路が提案される。特に、ほぼ同じ条件下で操作される２つのカラムを使用し、そこでは、生成される底部生成物が、主にフェノールであるのに対し、主にＡＭＳおよびクメンが、頂上部で排出される。第一カラム中の底部生成物として排出される未精製フェノールを、更なるワークアップ段階に付し、第二カラム中の底部生成物として排出される未精製フェノールを、第一カラムへ再度供給する。洗浄カラム中で、第二カラムの頂上生成物（ｏｖｅｒｈｅａｄ ｐｒｏｄｕｃｔ）を、水酸化ナトリウムによって処理する。ＡＭＳおよびクメンを含む、このカラムの頂上生成物を、水素添加に付すことができる。
【００１１】
ＵＳ ４，２５１，３２５（ＢＰケミカルズ（ＢＰ Ｃｈｅｍｉｃａｌｓ））では、クメン、ＡＭＳ、およびヒドロキシアセトンを含む混合物が頂上部で排出されるように、クメンカラムが操作されるように、低沸点物質およびアセトンを含まない画分のワークアップが最適化され、そこでは、後者は、残留未精製フェノールからほぼ完全に分離されるので、フェノールワークアップ中に、複雑な方法で分離する必要がない。
【００１２】
ＵＳ ４，３３３，８０１ （ＵＯＰ）には、ＡＭＳ、クメン、フェノール、および不純物、例えば、ヒドロキシアセトン、を含む画分のワークアップが記載されている。この方法は、主に、全画分からの、きわめて低いフェノール濃度を有する、ＡＭＳ／クメン画分の除去に関する。これは、クメンとＡＭＳとの混合物を、カラムから頂上部で排出するように、クメンカラムを操作することによって達成され、その混合物は、濃縮され、相分離容器内へ流し入れられる。存在するかもしれない水をすべて、分離して廃棄する。有機相の一部を、還流として、カラム頂上部へ再度供給する。有機相の別の部分を、洗浄器へ供給し、そこで、この相を水素添加へ付すことができるように、水素添加を妨げ得るフェノール残留物を、その相から除去する。クメンカラムの側面流排出口（ｓｉｄｅ ｓｔｒｅａｍ ｔａｋｅｏｆｆ）から、ＡＭＳならびにクメンならびに水およびフェノールの共沸混合物を含む画分を排出し、この画分も、濃縮して相分離容器へ移す。フェノールを含み得る水相を、ワークアップ段階に付す。クメン、ＡＭＳ、および有機相と水相との間の相平衡による有機相中の残留物と同じ位多いフェノールを含む有機相を、蒸発させ、クメンカラム内へ、側面流排出口より上方で、蒸気の状態で再度供給する。未精製フェノール画分を、カラムの底部から排出する。
【００１３】
更なる方法が、ＵＳ ５，０６４，５０７ （アライド（Ａｌｌｉｅｄ））に記載されている。この方法では、未精製アセトンカラム中で、開裂産物を、未精製アセトンから最初に分離する。底部生成物を、クメンカラムへ移し、そこで、クメンおよびＡＭＳを、開裂産物から除去する。しかし、カラムは、所定量のＡＭＳが、依然として底部生成物中に存在するように操作される。なぜなら、これは、ＭＢＦおよび他の不純物を除去するためのフェノールの更なるワークアップにおいて、反応パートナーまたは溶媒として、必要とされるからである。カルボニル不純物、例えば、アセトール（ヒドロキシアセトン、ＨＡ）またはＭＯを、高沸点化合物に転換するために、栓流特性（ｐｌｕｇ ｆｌｏｗ ｃｈａｒａｃｔｅｒｉｓｔｉｃｓ）を有する反応器中で、この底部生成物を、アミン、好ましくは、ヘキサメチレンジアミン、と反応させる。このように処理された生成物を、更に蒸留によって完成させる。精製された最終生成物のフェノールにより、流れは、更に４つのカラムおよび２つの反応領域を通過する。
【００１４】
ＵＳ ５，１３１，９８４ （アライド（Ａｌｌｉｅｄ））には、アセトン、クメン、およびＡＭＳの主な部分から分離された、未精製フェノールの蒸留によるワークアップが記載されている。この未精製フェノールを、真空蒸留カラム中で、フェノールおよび低沸点物質を含む蒸気状混合物が、カラムの頂上部で排出されるように処理する。この混合物を、濃縮器へ流し入れ、そこで、蒸気状混合物の主な部分を濃縮する。混合物の濃縮された部分を、カラム内へ再度流し入れ、この場合、生成物として排出されたフェノールの純度は、濃縮物が頂上部または頂上部より下でカラムへ再び供給されるかの相関的要素（ｆｕｎｃｔｉｏｎ）であった。特に、低沸点物質および酸を含む蒸気状部分を、更なる処理、例えば、更なる蒸留カラムへ供給する。更にワークアップされ得るフェノール含有画分を、真空蒸留カラムから、カラムの頂上部より下の、少なくとも１つの理論段に配置される側面流排出口から、排出する。
【００１５】
水を更にカラムへ流し入れ、そして、カラムの頂上部で、水およびフェノールを主に含む混合物を排出し、その混合物を部分的に濃縮してカラムへ戻す点が異なる、類似方法が、ＵＳ ５，１２２，２３４ （アライド（Ａｌｌｉｅｄ））に記載されている。
【００１６】
開裂産物の主な構成成分を、３つの主画分、未精製アセトン、ＡＭＳ／クメン、および未精製フェノール、へ分離するために、通常２つの蒸留カラムのみが必要とされるため、開裂産物の蒸留によるワークアップのための既知の方法はすべて、比較的複雑である。不要な副生物、例えば水、を除去するための主画分の更なるワークアップは、多くの装置を必要とする。一般に使用されるすべての方法は、比較的高いエネルギー消費量、特に、高い水蒸気消費量、を有する。フェノールの生産量は、年間数百万トンであるので、エネルギーのコストまたは資本コストのわずかな節約でさえも、方法の競争力（ｃｏｍｐｅｔｉｔｉｖｅｎｅｓｓ）には重要であり得る。
【００１７】
そこで、本発明の目的は、ヒドロ過酸化クメンの開裂からの開裂産物の蒸留によるワークアップのための方法であって、主生成物のアセトン、クメン／ＡＭＳおよびフェノールを、お互いに、かつ、不要な副生物から分離することができる、エネルギー消費量が少なく、かつ装置の要求が低い方法を提供することであった。
【００１８】
驚くべきことに、単一の蒸留段階において、蒸留によって開裂産物を３つの主画分に分離することによって、通例の方法より、より低いエネルギー消費量およびより低い装置の要求により、主生成物を、お互いに効率的に分離することができ、かつ、不要な副生物の除去も容易になることが見出された。
【００１９】
従って、本発明は、アルキルアリールヒドロ過酸化物の開裂において生成された開裂産物の蒸留によるワークアップのための請求項１に記載の方法であって、単一の蒸留段階において、開裂産物を、少なくとも３つの画分に分けることを含む方法に関する。
【００２０】
本発明は更に、請求項１５に記載のヒドロ過酸化クメンの開裂からの開裂産物混合物の蒸留による分離のための蒸留カラムであって、少なくとも７５重量％のアセトンを含む未精製アセトン画分を、カラムの頂上部で排出することができ、少なくとも７５重量％のフェノールを含む未精製フェノール画分を、カラムの底部で排出することができ、かつ、少なくともヒドロキシアセトンおよびクメンおよび／またはα−メチルスチレンを含む画分を、カラムの側面から排出することができるような寸法を有する蒸留カラムに関する。
【００２１】
本発明は更に、フェノールおよびアセトンを調製するための請求項２１に記載の方法であって、
−クメンのヒドロ過酸化クメンへの酸化段階
−ヒドロ過酸化クメンの開裂段階
−ヒドロ過酸化クメンの開裂において生成される開裂産物混合物の蒸留によるワークアップ段階を含む方法であって、単一の蒸留段階において、開裂産物混合物を、少なくとも３つの画分に分けることを含む方法に関する。
【００２２】
本発明は更に、請求項１〜１４の少なくとも１項に記載の方法を使用して得られるフェノールに関する。
【００２３】
本発明は更に、請求項１〜１４の少なくとも１項に記載の方法を使用して得られるアセトンに関する。
【００２４】
本発明の方法の利点は、蒸留において選択された分離段階が、開裂産物混合物または開裂産物混合物から得られる個々の画分の更なるワークアップを本質的に容易にすることである。特に、ヒドロキシアセトンがフェノールを多く含む画分中に残留し、そしてヒドロキシアセトンをフェノールと反応させて、フェノールよりも高い沸点を有する化合物を形成することによってここから除去され、かつ、蒸留によってフェノールから分離され得る、通常の方法において行われる段階が省略され、そして前記分離段階へ分ける場合より水蒸気消費量が低くなるため、開裂産物混合物のフェノール含有残留物からのヒドロキシアセトン、ＡＭＳ、およびクメンの合同除去は、フェノール含有残留物のワークアップを著しく容易にする。
【００２５】
通例の方法と比べて、本発明の方法は、本質的により好ましいエネルギーバランスを有し、更に、ヒドロキシアセトンをフェノールと反応させることによって工程から除去する方法と比べて、開裂産物混合物中のフェノール含有量に基づいて、より高い全フェノール収率を有する。通例の工程は、比較的高いエネルギー消費量を必要とする。また、通例の方法では、ヒドロキシアセトンが、フェノール、または、高価な化学物質、例えばアミン、を使い果たすまで反応するので、フェノールの収率が低下し、添加されなければならず、それら自体またはそれらの反応生成物を、複雑な方法で工程から再度除去しなければならない。
【００２６】
開裂産物混合物から、ヒドロキシアセトンをクメンと共に分離することにより、この問題を回避する本発明の方法も、ごく少ない装置を必要とする。なぜなら、単一の蒸留段階において、開裂産物混合物を３つの画分に分離することにより、必要とされる蒸留カラムの数だけでなく、画分中の様々な副生物の含有量を低減するために必要とされる反応装置の数も低減されるからである。
【００２７】
個々の工程段階、即ち、酸化、行われ得る後加熱を伴う開裂および水素添加、が行われる方法によって、フェノール１ｋｇ当たりの水蒸気消費量が３．２ｋｇと記載されている（フェノール／アセトン／クメン（Ｐｈｅｎｏｌ／Ａｃｅｔｏｎｅ／Ｃｕｍｅｎｅ）、９６／９７−２、Ｃｈｅｍ Ｓｙｓｔｅｍｓより、３０３ サウスブロードウェイ（Ｓｏｕｔｈ Ｂｒｏａｄｗａｙ）、タリータウン（Ｔａｒｒｙｔｏｗｎ）、ニューヨーク １０５９１より）通例の方法と比べて、フェノール１ｋｇ当たりの全工程中の水蒸気消費量が、本発明の方法を用いることにより、顕著に低減され得る。本発明の方法により、ビスフェノールＡの調製のための各ケースに適したフェノールの調製のためのエネルギー消費量は、顕著に低減され得る。更に、個々の上記の工程段階が行われる方法によって、ＨＡがフェノールと反応して高沸点物質が形成される方法と比べて、クメンに対するフェノールの収率が、顕著に増加され得る。
【００２８】
本発明の目的のために、異なる数の板を有するカラムの場合、同様の分離能を有する範囲を特定し得るために、板の数にかかわらず、順番に、このように、カラム中に存在する板の総数を、１００％の分離能（ｓｅｐａｒａｔｉｏｎ ｐｏｔｅｎｔｉａｌ）と定義する。従って、カラムの底部、即ち、１番目の板より下の領域、は、０％の分離能を有する。カラムの頂上部、即ち、最も高い板より上の範囲では、その定義によれば、分離能は１００％である。この定義によれば、５０枚の板を有するカラムは、１５番目の板の領域において、３０％の分離能を有する。
【００２９】
本発明の方法は、アルキルアリールヒドロ過酸化物の開裂において、特に、ヒドロ過酸化クメンのアセトンとフェノールへの開裂において、開裂産物混合物として生成される物質の混合物の蒸留によるワークアップのために使用され得る。開裂産物混合物は、均一系または不均一系触媒作用によって得られ得る。好ましくは、本発明の方法は、均一系の酸性触媒による開裂によって得られる開裂産物混合物に適用される。通例使用される酸性の均一系触媒は、硫酸である。アルキルアリールヒドロ過酸化物は、化学者に既知の様々な方法で調製され得た。しかし、好ましくは、本発明の方法は、アルキルアリールヒドロ過酸化物の開裂から、特に、ホック（Ｈｏｃｋ）フェノール合成の原則［Ｈ．ホック（Ｈｏｃｋ）、Ｓ．ラング（Ｌａｎｇ）、Ｂｅｒ． Ｄｔｓｃｈ． Ｃｈｅｍ． Ｇｅｓ． ７７Ｂ、２５７ （１９４４）］に従って得られたヒドロ過酸化クメン（ＣＨＰ）の開裂から得られる開裂産物混合物に適用される。明らかに、本発明の方法は、ホック（Ｈｏｃｋ）法の改良（ｄｅｖｅｌｏｐｍｅｎｔｓ）、特に、工程の酸化および開裂の段階の改良、である方法によって得られる開裂産物混合物にも適用され得る。
【００３０】
アルキルアリールヒドロ過酸化物、特にＣＨＰ、の開裂のための触媒として、酸が使用されるならば、開裂産物混合物は、通常、蒸留によるワークアップ前に、３〜１０、好ましくは４〜７のｐＨに調整される。これは、当業者に既知の方法において、開裂産物混合物に塩基を添加することによって達成される。塩基は、全工程からの副生物、例えば、フェノキシド苛性アルカリ溶液、例えばアセトン洗浄中に生成される、アルカリ洗浄溶液、無機塩基、例えば水酸化ナトリウム溶液、ＮａＯＨ、アンモニアもしくは水酸化アンモニウム、または有機塩基、例えばアミンもしくはジアミン、例えばヘキサメチレンジアミンであり得る。
【００３１】
蒸留によるワークアップ前にイオン交換樹脂を使用することによっても、ｐＨを調整することができる。そのような樹脂およびそのような樹脂の使用は、当業者に知られている。
【００３２】
開裂反応のためだけでなく、触媒または中和剤の添加にも起因して、開裂産物混合物は、通常、一部の水を含む。開裂産物混合物を本発明の方法に付す前に、更なる水を添加するか、または開裂産物混合物から水相を除去することにより、この水を、当業者に既知の方法で除去することができる。好ましくは、少なくとも１つの相分離装置、例えば分離容器またはコアレッサー（ｃｏａｌｅｓｃｅｒ）において、開裂産物混合物から、水相を除去する。特に非常に好ましくは、本発明の方法を用いて蒸留によって完成されるべき開裂産物混合物は、１〜１４重量％、好ましくは６〜１０重量％の水含有量を有する。
【００３３】
中和から、または塩を含む工程の水蒸気の使用により、開裂産物混合物は、塩、特にナトリウム塩または有機アンモニウム塩を含み得る。通常、これらは、それらを含む水相が開裂産物相の有機部から分離されるときに除去される。本発明の方法を実施するために、開裂産物混合物が、本発明の蒸留によるワークアップ前に、当業者に既知の方法で、ナトリウムイオン含有量が２００ｐｐｍ未満、好ましくは５０ｐｐｍ未満になるように処理されるならば、（熱交換器上の塩沈殿物；付着物、が低減するため）有利である。
【００３４】
以下に、本発明の方法を、均一系の酸性触媒によるＣＨＰの開裂において生成される開裂産物混合物の蒸留によるワークアップを例として用いて記載するが、本発明の方法は、この実施態様に限定されるものではない。
【００３５】
工程段階、酸化、行われ得る後加熱を伴う開裂、中和および／または水相と有機相とへの相分離、がどのように行われるかに応じて、この開裂産物混合物は、水ならびに主生成物であるフェノールおよびアセトンならびに酸化中に反応しない原料のクメンの他に、様々な副生物、例えば、α−メチルスチレン（ＡＭＳ）、アセトフェノン、ヒドロキシアセトン（ＨＡ）、フェニルブテン、３−メチル−シクロペンタン、ジメチルフェニルカルビノール（ＤＭＰＣ）、メチル−ベンゾフラン（ＭＢＦ）、メシチルオキシド（ＭＯ）、ならびに他のカルボニル化合物、例えばヘキサノン、ヘプタノン、および２−フェニルプロピオンアルデヒド、も含み得る。好ましくは、開裂産物混合物は、少なくとも２０〜７０重量％のフェノール、１５〜４５重量％のアセトン、５〜３０重量％のクメン、１〜５重量％のＡＭＳおよび２００ｐｐｍ〜５重量％のＨＡを含む。
【００３６】
本発明によれば、開裂産物混合物は、単一の蒸留段階において、少なくとも３つの画分に分けられる。このことは、開裂産物混合物を、蒸留装置、好ましくは、開裂産物混合物を３つの画分に分けることができるような寸法を有する蒸留カラム内へ移すことによって達成されることが好ましい。
【００３７】
特に非常に好ましくは、少なくとも１つの画分が、蒸留段階前の開裂産物中に存在するケトンの少なくとも７５％、好ましくは少なくとも９５％を含むように、開裂産物混合物が、３つの画分に分けられる。ＣＨＰの開裂からの開裂産物混合物が使用される場合、このケトンは、アセトンである。好ましくは、蒸留段階前の開裂産物中に存在する置換されたフェノールおよび／または置換されていないフェノールの少なくとも７５％、好ましくは少なくとも９５％を含む、少なくとも１つの第二画分が得られる。
【００３８】
開裂産物混合物の蒸留による本発明のワークアップにおいて得られる第三画分は、蒸留段階前の開裂産物中に存在する、使用されたモノ−、ジーおよび／またはトリアルキル置換ベンゼンの少なくとも７５％、特に好ましくは少なくとも９５％を含むことが好ましい。ＣＨＰの開裂からの開裂産物混合物の蒸留によるワークアップの場合、この第三画分は、蒸留段階前の開裂産物中に存在するクメンの、少なくとも７５％、特に好ましくは少なくとも９５％を、かつ、蒸留前の開裂産物中に存在するα−メチルスチレンの少なくとも７５％、特に好ましくは少なくとも９５％を含むことが好ましい。
【００３９】
ケトンまたはアセトンを含む第一画分は、好ましくは、蒸留カラムの頂上部で除去される。置換または未置換フェノールを含む第二画分は、好ましくは、カラムの底部で排出される。酸化において使用された、未反応のモノ−、ジ−および／またはトリアルキル置換ベンゼンを含み、かつ、フェノールが調製される場合にはクメンを含む第三画分は、蒸留カラムの側面流排出口から排出される。好ましくは、側面流排出口は、開裂産物混合物のカラム内への供給口（それも側面で行われる）より上に位置する。
【００４０】
蒸留によるワークアップのための本発明の方法は、蒸留カラム中の底部の温度が１４０℃〜２００℃、特に好ましくは１７０〜１９０℃になるように行われることが好ましい。カラムの頂上部での温度は、好ましくは３０〜９０℃であり、特に好ましくは３８〜５８℃である。側面流排出口の領域におけるカラム内部の温度は、好ましくは６０〜１２０℃であり、特に好ましくは６５〜９０℃である。
【００４１】
頂上部から、底部から、および／または側面流排出口から、カラムから排出された３つの画分の一部を、還流として、蒸留カラム内へ再度供給することが有利であり得る。
【００４２】
底部からカラム内への再循環物を、熱交換器によって加熱することが好ましく、その場合、使用される加熱媒体は、十分な熱エネルギーを有する水蒸気または工程からの流れであり得る。除去された底部生成物の量で割った、蒸気の状態で再循環された底部生成物の量として定義される再循環率は、好ましくは０〜１０である。
【００４３】
蒸気の状態で頂上部で排出された頂上生成物の還流は、好ましくは、熱交換器によって濃縮され、液体として蒸留カラムへ戻される。除去された頂上生成物の量で割った、液体状態で戻された頂上生成物の量として定義される還流比は、好ましくは０．２〜２０であり、特に好ましくは２〜４である。
【００４４】
水を含むことができ、かつ、相分離装置において二相に分離され得る側面流排出口から排出された画分の場合、この画分の有機部、この画分の水性部、または有機部と水性部との混合物を、カラムへ還流として再循環させることが有利であり得る。特に非常に好ましくは、この画分の水性部および有機部は、蒸留カラムへ別々に再循環される。再循環された水の量および排出された水の量に基づく還流比は、好ましくは０．２〜３３であり、特に非常に好ましくは０．４〜２である。カラムへ再循環される水は、液体または蒸気の状態で、好ましくは液体状態で、カラム内へ供給され得る。再循環された量および排出された有機相の量に基づく還流比は、好ましくは０．１〜１０であり、特に好ましくは０．５〜５である。相分離装置から得られたこの第三画分の有機部の残りは、蒸留カラムの頂上部および底部で排出された画分のように、更なるワークアップに付される。相分離装置から得られた第三画分の水性部の残りは、更なるワークアップに付されるか、または処分される。
【００４５】
しかし、ワークアップに付されるか、または処分される水の一部を、熱交換器を用いて蒸気の状態で、カラム内へ再度供給することも有利であり得る。開裂産物が蒸留カラム内へ供給される点より下に、材料を供給することが好ましい。
【００４６】
第一蒸留段階で得られた３つの画分の更なるワークアップは、蒸留によるワークアップとして行われることが好ましく、かつ、従来技術で既に記載されているように行われることができる。ワークアップは、特に、画分の組成に応じて行われ得る。本発明の方法の工程によって、妨害不純物、特に、ヒドロキシケトン、が、第二および／または第三画分中に存在し得る。ヒドロキシケトン、例えばヒドロキシアセトンが、第二画分中に存在するならば、従来技術に記載の様々な方法によって、この画分を、例えばフェノールから分離することができる。
【００４７】
本発明の方法の特に好ましい態様において、本発明の第三画分が、蒸留段階前に開裂産物中に存在するヒドロキシケトンの少なくとも２０％、好ましくは少なくとも５０％、特に非常に好ましくは少なくとも９０％を含むように、これが行われる。ＣＨＰの開裂からの開裂産物混合物の蒸留によるワークアップの場合、この第三画分が、蒸留前の開裂産物中に存在するヒドロキシアセトンの少なくとも９０％を含むことが好ましい。
【００４８】
本発明の方法のこの実施形態の利点は、第三画分中に存在するヒドロキシアセトンが、この画分の水の中に蓄積することである。ヒドロキシアセトンは、相分離装置において主に水相へ行くので、第三画分の水性部と共に、簡単な方法で、工程から排出され得る。好ましくは、水相は、クメンおよび／またはＡＭＳを含有する第三画分中に存在するヒドロキシアセトンの少なくとも７５％、特に好ましくは９５％、特に非常に好ましくは９８％を含む。
【００４９】
開裂産物混合物が、上記のように３つの主画分ではなく、少なくとも４つの主画分に分けられるならば、有利であり得る。そのような第四画分は、そこを通して第三のクメン含有画分が排出され、かつ、カラムの頂上部より下に配置された側面流排出口の上に配置された更なる側面流排出口から排出され得るか、および／または、開裂産物混合物の供給口より下、かつ、カラムの底部より上に配置された更なる側面流排出口から排出され得て、そして、少なくとも１つの有機酸を含む。有機酸として、この第四画分は、例えば、酢酸、シュウ酸、ギ酸、もしくは酪酸またはこれらの酸の少なくとも１つからなる混合物を含み得る。好ましくは、少なくとも１つの酸を含むそのような画分は、蒸留によるワークアップの上流で中和に付され得る。様々な沸点を有する酸を含むこれら画分を、カラムから排出し得るために、そのような側面流排出口を複数設けることが、有利であり得る。
【００５０】
本発明の方法の更なる特に好ましい実施形態において、ＣＨＰ開裂の場合は、蒸留によるワークアップの前に開裂産物混合物中に存在するアセトンの少なくとも７５％を含む第一画分は、アセトンカラムに、好ましくは蒸気の状態で、好ましくは側面で移される。このカラムにおいて、アセトンは、純粋なアセトンの条件（ＡＳＴＭ  Ｄ１３６３−９４に規定されている過マンガン酸塩テストに対応）を満たすまで、不純物から分離される。問題となる、アセトンカラム内への導入前の未精製アセトン中に存在する不純物は、特に、アセトンより沸点の低い化合物としてのアセトアルデヒド、および、アセトンより沸点の高い化合物である。
【００５１】
不純物を除去するために、純粋なアセトンを、側面流排出口から優先的に排出することができ、一方、アセトンが蓄積している画分を、カラムの頂上部で排出し得るように、アセトンカラムを設計しなければならない。この画分の一部を、アセトンカラムへ直接再循環させることができ、その場合、熱交換器を備えることができ、それにより、アセトアルデヒドを多く含む画分を、完全に、または部分的に濃縮することができる。側面流の量で割った、頂上部中の還流の量として定義される還流比は、好ましくは０．１〜１０００である。特に好ましくは、アセトアルデヒドを多く含む画分の全部または一部が、反応装置へ移され、その場合も、熱交換器を備えることができ、その熱交換器を用いて、アセトアルデヒドを多く含む画分の全部または一部を濃縮することができ、その反応装置において、その画分を、アルカリ性を有する反応パートナー、好ましくは水酸化ナトリウム溶液と、特に非常に好ましくは、５〜２０％強度の水酸化ナトリウム溶液と、接触させる。この反応装置中の温度は、好ましくは２０〜６０℃である。この反応装置中の圧力は、好ましくは０．１〜２ｂａｒである。この反応装置において、アセトアルデヒドは、塩基性触媒作用により、アルドール縮合反応において、例えばそれ自体と反応し、３−ヒドロキシブチルアルデヒド（アセトアルドール）を形成するか、または、アセトンと反応してヒドロキシペンタノンを形成する。特に、アセトアルドールおよびヒドロキシペンタノンは、アセトンより高い沸点を有する。この反応装置からの反応混合物を、側面で、アセトンカラムへ再循環させる。アセトンカラムの頂上生成物の更なる部分を、工程から直接排出してワークアップまたは熱利用に付すこともできる。
【００５２】
アセトンカラムの底部において、アセトンより高い沸点を有する化合物を排出する。この底部生成物は、特に、少量のクメンおよび／またはＡＭＳを含み、それらは、第一蒸留カラムから、第一画分と共にアセトンカラム内へ移され、かつ、反応装置からの化合物、特に、水酸化ナトリウム水溶液または水、および、アルドール縮合反応によって形成されるアセトアルデヒドの第二生成物、例えばアセトアルドール、を含む。底部生成物の一部を、蒸気の状態でカラムへ再循環させることが有利であり得る。好ましくは、再循環率は、０．２〜４００である。底部生成物の残りの部分は、ワークアップまたは利用に付され得る。特に、底部生成物またはその一部を、クメンカラム内へ供給し、そこで、クメンおよびＡＭＳを濃縮するために、底部生成物中に存在するクメンおよび／またはＡＭＳの残りを回収することが有利であり得る。
【００５３】
カラムの頂上部の温度が３０〜６０℃になるように、アセトンカラムを操作することが好ましい。底部の温度は、好ましくは４０〜１１０℃であり、特に好ましくは５０〜８０℃である。アセトンカラム中の、そこから純粋なアセトンが排出される側面流排出口での温度は、好ましくは３０〜６０℃である。アセトンカラムは、好ましくは１０〜１２０の理論段を有する。そこから純粋なアセトンが排出される側面流排出口は、好ましくは、８０〜９９％、好ましくは９０〜９５％の分離能を有する、カラムの領域にある。未精製アセトン、即ち、第一蒸留カラムからの第一画分は、好ましくは、０〜３０％の分離能を有するアセトンカラムの領域内へ供給される。
【００５４】
相分離装置からの第三画分の有機部は、クメンカラムへ移される。これは、クメンおよび／またはＡＭＳより低い沸点を有する化合物、例えば水またはアセトアルドールを頂上部で除去することができ、かつ、ＡＭＳおよびクメンよりも高い沸点を有する化合物を、カラムの底部で除去することができ、かつ、化合物クメンおよび／またはＡＭＳを、側面流排出口から排出することができるような寸法を有することが好ましい。好ましくは、頂上部で排出される生成物の一部だけでなく、カラムの底部で排出される生成物の一部も、カラムへ再度供給される。特に好ましくは、クメンカラムは、そのような寸法を有し、かつ、側面流排出口または底部領域から排出される混合物を、直接水素添加に付すことができるように、工程のパラメーターを設定する。
【００５５】
カラムの頂上部の温度が４０〜１７０℃になるように、クメンカラムを操作することが好ましい。底部の温度は、好ましくは１１０〜１８０℃である。クメンカラム中の、そこからクメンおよび／またはＡＭＳが排出される側面流排出口での温度は、好ましくは１１０〜１８０℃である。クメンカラムは、好ましくは１０〜９０の理論段を有する。そこからクメンおよび／またはＡＭＳが排出される側面流排出口は、好ましくは、０〜５０％の分離能を有するカラムの領域に配置される。
【００５６】
第一蒸留カラムからの第三画分の有機相は、好ましくは、１０〜８０％の分離能を有するクメンカラムの領域内へ供給される。
【００５７】
そこからクメンおよび／またはＡＭＳが、クメンカラムから除去される側面流排出口より上、かつ、カラムの頂上部より下に配置された、少なくとも１つの更なる側面流排出口を通して、少なくとも、メシチルオキシド、ケトンおよび／または水を含む少なくとも１つの更なる画分を排出することができるような寸法を、クメンカラムが有することも、有利であり得る。そのような更なる側面流排出口を１つまたはそれ以上設けることにより、得られるクメンカラム中の頂上生成物は、メシチルオキシドを含まないアセトンを本質的に含み、かつ、更なるワークアップ、例えばアセトンカラム中に供給され得る生成物であることができる。
【００５８】
５００ｐｐｍ未満、好ましくは１００ｐｐｍ未満、特に非常に好ましくは１０ｐｐｍ未満のヒドロキシアセトン含有量を有する、第一蒸留カラムの底部で排出された第二画分、未精製フェノール画分は、側面で、更なる過程において、未精製フェノールカラムと呼ばれるカラム内へ移すことが好ましい。このカラムが、フェノールより低い沸点を有する化合物、例えばクメン、ＡＭＳまたはアセトンの残留物を、頂上部で除去することができ、かつ、フェノールより高い沸点を有する化合物を、カラムの底部で排出することができ、かつ、フェノールを、側面流排出口から排出することができるような寸法を有することが好ましい。好ましくは、頂上部で排出される生成物の一部だけでなく、未精製フェノールカラムの底部で排出される生成物の一部も、カラムへ再循環させる。特に好ましくは、未精製フェノールカラムは、そのような寸法を有し、かつ、側面流排出口から排出されるフェノール画分を、更なるフェノール精製に付すことができるように、工程のパラメーターが設定される。側面流排出口の場合、排出された画分の一部を、未精製フェノールカラム内へ、還流として再度供給することも、有利であり得る。
【００５９】
カラムの頂上部の温度が、１２０〜２００℃、好ましくは１３０〜１８０℃に設定されるように、未精製フェノールカラムを操作することが好ましい。底部の温度は、好ましくは１２０〜２２０℃である。未精製フェノールカラム中の、そこからフェノールが排出される側面流排出口での温度は、好ましくは１２０〜１９０℃であり、特に好ましくは１４０〜１９０℃である。未精製フェノールカラムは、１０〜７０の理論段を有することが好ましい。そこからフェノールが排出される側面流排出口は、３０〜９０％の分離能を有するカラムの領域にあることが好ましい。第一蒸留カラムからの第二画分、即ち、未精製フェノール、は、０〜８０％の分離能を有する未精製フェノールカラムの領域内に供給されることが好ましい。
【００６０】
未精製フェノールカラムの頂上生成物を、第一蒸留カラムへ再循環させることが有利であり得る。このことは、特に、未精製フェノールカラムの頂上生成物が、比較的多量のクメン、ＡＭＳおよび／またはアセトンを含む場合に有用である。フェノールより高い沸点を有する化合物を含む、未精製フェノールカラムの底部生成物は、高沸点物質の更なる濃縮のために、更なる蒸留および／またはクラッキングに付され得る。
【００６１】
クラッキングの場合、価値ある化合物、例えばＡＭＳまたはフェノールを回収することができるために工程の総収率が向上されるという利点にもかかわらず、装置の要求およびエネルギー消費を、総収率が更に高くなることによって常に補うことができないので、高沸点物質のクラッキングを行わないことが有利であり得る。
【００６２】
好ましくは、未精製フェノールカラムの底部生成物は、下部高沸点物質カラム（ｂｅｌｏｗ ｈｉｇｈ−ｂｏｉｌｅｒ ｃｏｌｕｍｎ）と呼ばれる、更なる蒸留カラムへ移される。未精製フェノールカラムからの底部生成物は、高沸点物質カラムの側面へ供給されることが好ましい。このカラムは、フェノールの沸点の領域に沸点を有する化合物、例えば、フェノール、クメン、ＡＭＳまたはアセトンの残留物を、頂上部で除去することができ、かつ、フェノールよりも顕著に高い沸点を有する化合物を、カラムの底部で排出することができるような寸法を有することが好ましい。好ましくは、頂上部で排出される生成物の一部だけでなく、高沸点物質カラムの底部で排出される生成物の一部も、カラムへ再循環させる。頂上生成物についての還流比は、好ましくは０．５〜２０である。底部生成物は、クラッキング、または好ましくは熱利用に付され得る。高沸点物質カラムの頂上生成物は、未精製フェノールカラム内へ再度供給されることが好ましい。
【００６３】
カラムの頂上部の温度が９０〜１８０℃に設定されるように、高沸点物質カラムを操作することが好ましい。底部の温度は、好ましくは１２０〜２２０℃である。高沸点物質カラムは、好ましくは５〜７０の理論段を有する。未精製フェノールカラムからの底部生成物は、４０〜１００％の分離能を有する領域内へ供給されることが好ましい。
【００６４】
未精製フェノールカラムの側面流排出口で排出されたフェノール画分は、蒸留による更なるワークアップに付され得る。好ましくは、このフェノール画分は、反応器中であらかじめ処理される。不要な副生物を、フェノールより高沸点または低沸点の化合物へ転換するために、その処理は、酸性触媒による処理からなることが好ましい。特に非常に好ましくは、酸性イオン交換体が、酸性触媒として使用される。
【００６５】
未精製フェノールカラムからのフェノール画分の蒸留による更なるワークアップのために、これを、処理して、または未処理で、下部純粋フェノールカラム（ｂｅｌｏｗ ｐｕｒｅ ｐｈｅｎｏｌ ｃｏｌｕｍｎ）と呼ばれる蒸留カラム内へ移す。このカラムは、フェノールより低い沸点を有する化合物、例えば、クメン、ＡＭＳ、アセトンおよび／または水の残留物を、頂上部で除去することができ、かつ、フェノールより高い沸点を有する化合物を、カラムの底部で排出することができ、かつ、フェノールを、側面流排出口から排出することができるような寸法を有することが好ましい。好ましくは、頂上部で排出される生成物の一部だけでなく、未精製フェノールカラムの底部で排出される生成物の一部も、カラムへ再循環される。側面流における量で、頂上部での還流の量を割った値として定義される還流比は、好ましくは０．１〜１０００である。底部生成物についての再循環率は、好ましくは０．１〜４０である。特に好ましくは、純粋フェノールカラムは、そのような寸法を有し、かつ、側面流排出口から排出される純粋フェノール画分が、０．０１重量％未満、好ましくは０．００５重量％未満の不純物含有量を有するように、工程のパラメーターが設定される。この純粋フェノールは、保存することができ、または直接更なる使用に付すことができる。
【００６６】
カラムの頂上部の温度が１００〜１９０℃に設定されるように、純粋フェノールカラムを操作することが好ましい。底部の温度は、好ましくは１２０〜２１０℃である。純粋フェノールカラム中の、そこから純粋フェノールが排出される側面流排出口での温度は、好ましくは１００〜１９０℃である。純粋フェノールカラムは、好ましくは１０〜７０の理論段を有する。そこから純粋フェノールが排出される側面流排出口は、８０〜９５％の分離能を有するカラムの領域に位置することが好ましい。未精製フェノールカラムからのフェノール画分は、そこから純粋フェノールが排出される領域と同じ分離能を有するカラムの領域ではなく、１０〜８０％の分離能を有する純粋フェノールカラムの領域内へ供給されることが好ましい。
【００６７】
純粋フェノールカラムの頂上生成物を、未精製フェノールカラムへ再循環させることが有利であり得る。このことは、特に、純粋フェノールカラムの頂上生成物が、クメン、ＡＭＳ、および／またはアセトンを含むことが多いため、有用である。フェノールより高い沸点を有する化合物を含む純粋フェノールカラムの底部生成物を、未精製フェノールカラムへ再度供給することもでき、または、高沸点物質の更なる濃縮のために、更なる蒸留および／またはクラッキングに付すこともできる。
【００６８】
本発明の方法は、０．０５〜２ｂａｒの圧力において行うことができる。個々の段階が行われる所定の（ｅｓｔａｂｌｉｓｈｅｄ）圧力に応じて、これらの方法における温度を選択しなければならない。
【００６９】
本発明の方法は、フェノールおよびアセトンを調製するための本発明の方法であって、
−クメンのヒドロ過酸化クメンへの酸化段階
−ヒドロ過酸化クメンの開裂段階
−ヒドロ過酸化クメンの開裂において生成された開裂産物混合物の蒸留によるワークアップ段階
を含む方法であって、単一の蒸留段階において、開裂産物混合物を、少なくとも３つの画分に分けることを含む方法であり得る。そのような本発明の方法によって、エネルギーの点で非常に好ましい方法で、フェノールを調製することができる。
【００７０】
アルキルアリールヒドロ過酸化物の開裂において、特に、ＣＨＰの開裂において生成される開裂産物混合物の蒸留によるワークアップのための本発明の方法は、ヒドロ過酸化クメンの開裂からの開裂産物混合物を蒸留によって分離するための本発明の蒸留カラムにおいて行われることが好ましく、そこで、カラムは、少なくとも７５重量％のアセトンを含む未精製アセトン画分を、カラムの頂上部で排出することができ、少なくとも７５重量％のフェノールを含む未精製フェノール画分を、カラムの底部で排出することができ、かつ、少なくともヒドロキシアセトンおよびクメンおよび／またはα−メチルスチレンを含む画分を、カラムの側面から排出することができるような寸法を有する。
【００７１】
本発明の蒸留カラムは、好ましくは、２０〜２００、特に好ましくは３０〜７０の理論段数を有する。本発明の目的のために、異なる数のトレイを有するカラムの場合、同様の分離能を有する範囲を特定し得るために、トレイの数にかかわらず、順番に、このように、カラム中に存在するトレイの総数を、１００％の分離能と定義する。従って、カラムの底部、即ち、一番目のトレイより下の領域、は、０％の分離能を有する。カラムの頂上部、即ち、最も高いトレイの領域では、この定義によれば、１００％の分離能を有する。
【００７２】
本発明の蒸留カラムは、少なくとも１つのあり得る（ｐｏｓｓｉｂｌｅ）供給口を有し、それは、好ましくは、２０〜５０％の分離能を有する蒸留カラムの領域に存在する。
【００７３】
本発明の蒸留カラムはまた、そこで少なくとも１つのヒドロキシアセトン、ＣＨＰの開裂の場合には、ヒドロキシアセトン、ならびに、モノ−またはポリアルキル化ベンゼン、ＣＨＰの開裂の場合には、クメンおよび／もしくはα−メチルスチレン、が排出され得る側面流排出口を少なくとも１つ有する。好ましくは、この側面流排出口は、そこで分離能が１５〜９５％、好ましくは６０〜９０％である蒸留カラムの領域に取り付けられる。従って、理論段数が５０である本発明のカラムの場合、側面流排出口は、３０段〜４５段の間に取り付けられることが好ましい。
【００７４】
本発明の蒸留カラムが少なくとも１つの更なる側面流排出口を有し、そこで、少なくとも１つの有機酸を含む画分が排出され得ることが、有利であり得る。その画分は、有機酸として、例えば、酢酸、シュウ酸、ギ酸、もしくは酪酸、またはこれらの有機酸の少なくとも１つからなる混合物を含み得る。酸排出口（ａｃｉｄ ｔａｋｅｏｆｆ）は、供給手段の上および／もしくは下、ならびに／または、側面流排出口の下および／もしくは上に備えられ得る。
【００７５】
本発明の方法および本発明の装置は、一例として、図１および２に記載されているが、その方法または装置は、これらの実施形式に限定されない。
【００７６】
図１は、本発明の蒸留カラムの態様を図示する。本発明の蒸留カラムＫ１は、側面取入口を有し、その中へ、開裂産物混合物ＳＰが、蒸留によるワークアップのために供給され得る。頂上生成物ＫＰ１および下部生成物ＳＰ１は、それぞれ、カラムの頂上部および底部で排出され得る。本発明の蒸留カラムは、それぞれの場合に、還流システムを有し、それにより、底部生成物および／または頂上生成物の全部または一部がカラムへ戻され得る。これらの還流システムにおいて、熱交換器ＷＴ１およびＷＴ２が設置され、それにより、カラムへ還流として再循環される底部生成物または頂上生成物へ、熱エネルギーを加えるか除去することができる。仮に、本発明の蒸留カラムにおいて、ＣＨＰの開裂から生じる開裂産物混合物を、蒸留によって完成させるならば、頂上生成物中に、アセトンが濃縮される。底部生成物中には、主にフェノールおよびフェノールより高い沸点を有する化合物が濃縮される。
【００７７】
本発明の蒸留カラムは、側面流排出口を有し、それを通して、頂上生成物の沸点と底部生成物の沸点との間の沸点を有する画分が、カラムから排出される。仮に、本発明のカラムにおいて、ＣＨＰの開裂からの開裂産物混合物が、蒸留によって完成されるならば、この側面流排出口を通して、少なくともクメン、ＡＭＳおよび／または水を含み得る混合物が、カラムから除去される。この混合物は、ラインＳＣＡを通して、相分離装置ＰＴ１、例えばデカンター、へ移される。この相分離装置において形成された有機相の一部を、ＲＯを通して蒸留カラムへ戻すことができる。有機相の残りの部分を、ＣＡを通して更なるワークアップに付すことができる。水相の一部を、ＲＷ１を通して蒸留カラムＫ１へ戻すこともでき、好ましくは、この水相は、液体の状態でカラムへ戻される。水相の残りの部分を、Ｗ１を通して利用またはワークアップに付すことができる。
【００７８】
任意に、水相の更なる部分を、蒸気の状態または液体の状態で、ＲＷ２を通してカラムへ戻すことができ、その場合、水相を、開裂産物混合物ＳＰの供給口より下へ供給することが好ましい。また、任意に、１つまたはそれ以上の更なる側面流排出口ＳＯＳ１およびＳＯＳ２を、備えることができる。側面流排出口ＳＯＳ１は、好ましくは、開裂産物混合物ＳＰの供給口とカラムの底部との間に配置される。側面流排出口ＳＯＳ２は、好ましくは、側面流排出口ＳＣＡとカラムの頂上部との間に配置される。少なくとも１つの有機酸を有する画分は、側面流排出口ＳＯＳ１およびＳＯＳ２を通してカラムから除去され得る。
【００７９】
図２は、アルキルアリールヒドロ過酸化物の開裂において生成される開裂産物混合物、例えば、ＣＨＰの開裂において生成される開裂産物混合物、の蒸留によるワークアップのための全工程を図示する。その表示は、更なる明確化のために、カラムへの様々な還流は示していない。また、熱回路、即ち、個々の画分または工程の流れの間の熱エネルギーの交換、も示されていない。
【００８０】
ＳＰを通って、開裂産物混合物は、ワークアップ蒸留のために、カラムＫ１内へ通る。開裂産物混合物は、既に処理され得て、例えば、ｐＨが設定され得て、および／または、存在する水相はすべて、既に除去され得た。カラムＫ１中で、開裂産物混合物は、３つの画分に分けられる。カラムの頂上部で排出される頂上生成物ＫＰ１は、アセトンを多く含む画分である。クメン、ＡＭＳおよび／または水を多く含む側面流画分ＳＣＡは、カラムＫ１から、側面で排出される。フェノールを多く含む底部生成物ＳＰ１は、カラムＫ１の底部で排出される。
【００８１】
この画分は、アセトンカラムＫ２の側面へ移され、そこで、頂上生成物ＫＰ１は、カラムの頂上部より下の側面で排出される、純粋なアセトン画分ＲＡと、カラムの頂上部で排出されるアルデヒドと低沸点物質とを含む画分ＡＡ、および、アセトンより高い沸点を有する化合物を含む、カラムの底部で排出される底部画分ＳＰ２とに分けられる。画分ＡＡの一部は、その中へ塩基Ｂも供給される洗浄器Ｗ内へ供給されるか、または、ＫＰ２を通って工程から除去される。洗浄器Ｗから排出される生成物は、カラムＫ２へ再度供給される。純粋なアセトンＲＡは、更に利用されるか、または貯蔵される。底部生成物ＳＰ２は、例えば、ワークアップＡＢに、特に、排水処理に付され得る。完成された（ｗｏｒｋｅｄ−ｕｐ）底部生成物ＡＢ２の一部は、カラムＫ３の側面へ供給され得る。
【００８２】
また、カラムＫ１からの側面流画分ＳＣＡの有機部ＣＡは、カラムＫ３内へ供給される。この有機部は、相分離装置ＰＴ１において得られ、その中へ、側面流画分が供給される。側面流画分の有機部の一部ＲＯは、カラムＫ１へ再循環される。相分離装置ＰＴ１において得られた側面流画分の水性部は、工程の水Ｗ１として、工程から除去することができ、および／または、その全部または一部を、還流ＲＷとして、カラムＫ１へ再循環させることができる。
【００８３】
カラムＫ３では、カラムＫ３からの側面流排出口を通して、クメンおよびＡＭＳを含み、かつＡＭＳのクメンへの水素添加に直接付されることに適している画分ＣＡＨが得られるように、クメンおよび／またはＡＭＳを含む、カラムＫ１からの側面流画分の有機部を蒸留する。ＡＭＳより高い沸点を有するか、または、クメンより低い沸点を有する化合物を、頂上生成物ＫＰ３または底部生成物ＳＰ３として、全工程から除去し、そして、利用することができる。任意に、一つまたはそれ以上の側面流排出口ＫＭを、側面流排出口ＣＡＨより上であって、かつ、カラムＫ３の頂上部より下へ設けることができ、それを通して、少なくともメシチルオキシドおよび／またはケトン、特に、アセトンとは異なるケトンを含む側面流排出口画分を、排出することができる。
【００８４】
カラムＫ１からのフェノールを多く含む底部生成物ＳＰ１を、未精製フェノールカラムＫ４の側面へ供給する。このカラムから、未精製フェノールを、側面で排出し、それを、例えば、酸固定床触媒を含み得る反応器ＨＲ中で更に処理し、次いで、カラムＫ５へ移す。頂上生成物Ｋ４を、カラムＫ１内へ再度供給する。カラムＫ４からの底部生成物ＳＰ４を、カラムＫ６内へ供給する。このカラムにおいて、高沸点物質、例えばタールを、底部生成物ＳＰ６として工程から除去して利用する。頂上生成物ＫＰ６は、カラムＫ４内へ再度供給される。
【００８５】
反応器ＨＲ中で処理されて純粋フェノールカラムＫ５へ移された未精製フェノールを、このカラム中で、カラムＫ５の側面で排出されて使用されるかまたは貯蔵される、純粋なフェノールＲＰＨ、底部生成物ＳＰ５として、Ｋ５から排出されてカラムＫ４へ再循環される高沸点物質画分、および、頂上生成物ＫＰ５として、カラムＫ５から排出され、さらに、カラムＫ４へ供給される低沸点物質画分、に分離する。
【００８６】
【実施例】
実施例１：
特に、４８重量％のフェノール、１０重量％のクメン、３重量％のＡＭＳ、２７重量％のアセトン、０．０３重量％のアセトアルデヒド、０．１重量％のアセトフェノン、０．１重量％のヒドロキシアセトン、および９重量％の水を含む開裂産物混合物を、９０個のトレイを有する、図１および図２に記載したような蒸留カラム内へ、４０番目のトレイの高さで供給した。
【００８７】
頂上部の温度が４７℃になり、底部の温度が１７９℃になり、かつ、側面流排出口での温度が８８〜８９℃になるように、カラム中の温度を設定した。蒸留カラム中の圧力は、底部において、大気圧と一致していた。特に、９９部のアセトンおよび０．１部のアセトアルデヒドを含む、排出された頂上生成物の一部を、４０個のトレイを有するアセトンカラムへ、８番目のトレイの高さで移した。
【００８８】
カラムの頂上部の温度が４２℃になり、カラムの底部の温度が６５℃になるように、アセトンカラム中の温度を設定した。３５番目のトレイの高さに備えられており、かつ、そこから０．２５重量％未満の不純物含有量を有する純粋なアセトンが排出される、側面流排出口での温度は、４２．５℃であった。１００ｐｐｍのアセトアルデヒド含有量を有する頂上生成物を濃縮して、洗浄器内へ通し、その中へ、頂上生成物１ｋｇ当たり１０ｇの５％強度の水酸化ナトリウム溶液も通した。洗浄器中の温度は５６℃であった。洗浄器から排出された混合物は、２０ｐｐｍ未満のアセトアルデヒド含有量を有していた。
【００８９】
特に、クメン、ＡＭＳおよび水を含む、アセトンカラムからの底部生成物を、クメンカラムへ移した。
【００９０】
第一蒸留カラムの側面流排出口から排出された画分を、分離器へ移した。この分離器において、特に、９８重量％の水および１．３重量％のヒドロキシアセトンを含む水相を、特に、６５重量％のクメン、３０重量％のＡＭＳ、２重量％のフェノールおよび０．２重量％の水を含む有機相から分離した。相分離後、排出された画分に存在していたヒドロキシアセトンの９５％以上が、水相に存在していた。水相の一部を廃棄した。水相の残りを、第一蒸留カラムへ戻した。
【００９１】
分離器において水相から分離した有機相は、１０００ｐｐｍ未満のヒドロキシアセトン含有量を有していた。この有機相の一部を、第一蒸留カラムへ戻した。有機相の残りを、６０個のトレイを有するクメンカラムの側面へ、２５番目のトレイの高さで通した。カラムの頂上部の温度が５６℃になり、カラムの底部の温度が１４０℃になるように、クメンカラムを操作した。１３８℃で、１４番目のトレイの高さで側面流排出口から、２重量％未満の不純物を含む、ＡＭＳとクメンとの混合物を蒸留した。クメンカラムの頂上部で、および底部から排出した低沸点物質および高沸点物質を廃棄した。
【００９２】
特に、９４重量％のフェノールおよび１．６％のアセトフェノンを含む、第一蒸留カラムの底部から排出された底部生成物を、７０個のトレイを含む未精製フェノールカラムの側面へ、２６番目のトレイの高さで供給した。カラムの頂上部の温度が１７６℃になり、かつ、カラムの底部の温度が２０３℃になるように、このカラムを操作した。未精製フェノールカラムの頂上部で排出された画分を、第一蒸留カラムへ戻した。未精製フェノールカラムの底部において生成された画分を、更なるカラム、高沸点物質カラム、へ移し、そこで、高沸点物質を濃縮した。１５４℃で得られたこの５０個のトレイを有するカラム（５０−ｔｒａｙ ｃｏｌｕｍｎ）の頂上生成物は、特に、９５重量％のフェノールおよび５重量％のアセトフェノンを含む画分であった。この画分を、未精製フェノールカラムへ再度供給した。２０３℃の温度で得られた、高沸点物質カラムの底部生成物は、タールからなり、５重量％未満のフェノール含有量を有していた。未精製フェノール流を、未精製フェノールカラムから、５５番目のトレイの高さで、１８１℃の温度で排出させた。
【００９３】
この未精製フェノール流は、９９重量％のフェノール含有量を有していた。不純物として、この未精製フェノール流は、特に、２−メチルベンゾフラン、ＡＭＳ、メシチルオキシド、少量のヒドロキシアセトン、および微量の更なる不純物を含んでいた。この未精製フェノール流を、触媒として、１２０ｍ３の酸性イオン交換樹脂アンバーリスト（Ａｍｂｅｒｌｙｓｔ）１５を含む反応器へ通した。このように処理された未精製フェノールを、４５個のトレイを有する純粋フェノールカラムの側面へ、２０番目のトレイの高さで通した。減圧下で操作されたこのカラムは、１３９℃の頂上部温度および１４２℃の底部温度を有していた。１００ｐｐｍ未満の不純物含有量を有する純粋なフェノールを、純粋フェノールカラムから、４０番目のトレイの高さで、１４０℃の温度で排出した。純粋フェノールカラムの頂上部で排出された画分を、未精製フェノールカラムの頂上部より下へ再度供給した。純粋フェノールカラムの底部から排出された画分を、未精製フェノールカラムの底部より上へ再度供給した。
【図面の簡単な説明】
【図１】図１は、本発明の蒸留カラムの態様を図示する。
【図２】図２は、アルキルアリールヒドロ過酸化物の開裂において生成される開裂産物混合物、例えば、ＣＨＰの開裂において生成される開裂産物混合物、の蒸留によるワークアップのための全工程を図示する。
【図１】
2004515483.tif 000003
【図２】
2004515483.tif 000004
【国際公開パンフレット】
2004515483.tif 000005
2004515483.tif 000006
2004515483.tif 000007
2004515483.tif 000008
2004515483.tif 000009
2004515483.tif 000010
2004515483.tif 000011
2004515483.tif 000012
2004515483.tif 000013
2004515483.tif 000014
2004515483.tif 000015
2004515483.tif 000016
2004515483.tif 000017
2004515483.tif 000018
2004515483.tif 000019
2004515483.tif 000020
2004515483.tif 000021
2004515483.tif 000022
2004515483.tif 000023
2004515483.tif 000024
2004515483.tif 000025
2004515483.tif 000026
2004515483.tif 000027
2004515483.tif 000028
2004515483.tif 000029
2004515483.tif 000030
2004515483.tif 000031
2004515483.tif 000032
2004515483.tif 000033
2004515483.tif 000034
2004515483.tif 000035
2004515483.tif 000036
2004515483.tif 000037
2004515483.tif 000038
【手続補正書】
【提出日】平成14年6月28日(2002.6.28)
【手続補正１】
【補正対象書類名】明細書
【補正対象項目名】特許請求の範囲
【補正方法】変更
【補正の内容】
【特許請求の範囲】
【請求項１】
アルキルアリールヒドロ過酸化物の開裂において生成される開裂産物混合物の蒸留によるワークアップのための方法であって、
−蒸留カラムの側面へ、開裂産物混合物を供給し、
−蒸留カラムの頂上部で、ケトンを含む第一画分を除去し、
−蒸留カラムの底部で、置換または未置換フェノールを含む第二画分を除去し、そして、
−側面流排出口を、開裂産物混合物の蒸留カラムへの供給口より上へ配置することによって、未反応のモノ−、ジ−、および／またはトリアルキル置換ベンゼンおよびヒドロキシケトンを、側面流として除去することによる、単一の蒸留段階において、開裂産物混合物を、少なくとも３つの画分に分けることを含む方法。
【請求項２】
第一画分が、蒸留段階前の開裂産物中に存在するケトンの少なくとも７５％を含む、請求項１に記載の方法。
【請求項３】
ケトンがアセトンである、請求項２に記載の方法。
【請求項４】
第二画分が、蒸留段階前の開裂産物中に存在する置換および／または未置換フェノールの少なくとも７５％を含む、請求項１〜３の少なくとも１項に記載の方法。
【請求項５】
第三画分が、蒸留段階前の開裂産物中に存在するクメンの少なくとも７５％および／または蒸留段階前の開裂産物中に存在するα−メチルスチレンの７５％を含む、請求項１〜４の少なくとも１項に記載の方法。
【請求項６】
水、クメンおよび／またはＡＭＳを含むこの画分が、蒸留段階前の開裂産物中に存在するヒドロキシアセトンの少なくとも２０％を含む、請求項５に記載の方法。
【請求項７】
蒸留段階前の開裂産物中に存在するクメンの少なくとも７５％および／または蒸留段階前の開裂産物中に存在するα−メチルスチレンの７５％を含む画分が、相分離装置において、水相と有機相とに分離される、請求項５または６の少なくとも１項に記載の方法。
【請求項８】
有機相の少なくとも一部が、蒸留段階へ再度供給される、請求項７に記載の方法。
【請求項９】
有機相の少なくとも一部が、蒸留カラム（クメンカラム）へ供給され、そこで、クメンまたはα−メチルスチレンより低い沸点を有する化合物が頂上部で排出され、クメンまたはα−メチルスチレンより高い沸点を有する化合物が、底部を通して排出され、かつ、化合物クメンおよび／またはα−メチルスチレンが、側面流排出口を通して排出されるように、有機相が分離される、請求項７または８に記載の方法。
【請求項１０】
そこからクメンおよび／またはα−メチルスチレンがクメンカラムから除去される側面流排出口より上であって、かつ、カラムの頂上部より下に配置される少なくとも１つの更なる側面流排出口を通して、少なくともメシチルオキシド、ケトン、および／または水を含む、少なくとも１つの更なる画分が排出され得るように、クメンカラムにおいて有機相を分離する、請求項９に記載の方法。
【請求項１１】
水相の少なくとも一部が、液体および／または蒸気の状態で、蒸留段階へ再度供給される、請求項７に記載の方法。
【請求項１２】
水相が、クメンおよび／またはα−メチルスチレンを含む画分中に存在するヒドロキシアセトンの７５％を含む、請求項７または１１に記載の方法。
【請求項１３】
開裂産物混合物が、蒸留によるワークアップ前に、２０〜７０重量％のフェノール濃度を有する、請求項１〜１２の少なくとも１項に記載の方法。
【請求項１４】
開裂産物混合物が、蒸留によるワークアップ前に、２００ｐｐｍ〜５重量％のヒドロキシアセトン濃度を有する、請求項１〜１３の少なくとも１項に記載の方法。
【請求項１５】
ヒドロ過酸化クメン開裂からの開裂産物混合物の蒸留による分離のための蒸留カラムであって、少なくとも７５重量％のアセトンを含む未精製アセトン画分を、カラムの頂上部で排出することができ、少なくとも６０重量％のフェノールを含む未精製フェノール画分を、カラムの底部で排出することができ、かつ、側面流排出口が、蒸留カラムへの開裂産物混合物の供給口より上へ配置されることによって、少なくとも水、クメンおよび／またはα−メチルスチレンを含む少なくとも１つの画分を、カラムの側面から排出することができるような寸法を有するカラム。
【請求項１６】
フェノールおよび開裂産物混合物中に存在するヒドロキシアセトンの少なくとも７５％を含む画分を、カラムの底部で排出することができるような寸法を有する請求項１５に記載の蒸留カラム。
【請求項１７】
クメンおよび／またはα−メチルスチレンおよび開裂産物混合物中に存在するヒドロキシアセトンの少なくとも７５％を含む画分を、カラムの少なくとも１つの側面流排出口で排出することができるような寸法を有する請求項１５に記載の蒸留カラム。
【請求項１８】
側面流排出口（そこにおいて、少なくともヒドロキシアセトンおよびクメンおよび／またはα−メチルスチレンを含む画分が、６０〜９５％の分離能を有するカラムの領域で排出され得る）が備えられる、請求項１７に記載の蒸留カラム。
【請求項１９】
２０〜２００の理論段を有する、請求項１５〜１８の１項に記載の蒸留カラム。
【請求項２０】
そこにおいて少なくとも１つの有機酸を含む画分が排出され得る、少なくとも１つの側面流排出口を有する、請求項１５〜１９の１項に記載の蒸留カラム。
【請求項２１】
フェノールおよびアセトンを調製するための方法であって、
−クメンのヒドロ過酸化クメンへの酸化段階
−ヒドロ過酸化クメンの開裂段階
−ヒドロ過酸化クメンの開裂において生成される開裂産物混合物の蒸留によるワークアップ段階
を含む方法であって、請求項１〜１４のいずれかの方法によって、単一の蒸留段階において、開裂産物混合物を、少なくとも３つの画分に分けることを含む方法。
【国際調査報告】
2004515483.tif 000039
2004515483.tif 000040
2004515483.tif 000041